(57)【要約】      （修正有）【課題】構造や取り付け取り外しが簡単で、捕獲動物が暴れても壊れにくい動物捕獲籠を提供する。【解決手段】捕獲籠の前面および背面スライド枠の上枠に可動蓋を引っ掛けて係止するための鉤付きの吊り手と、鉤の上に載せ可動蓋を引き上げた状態で係止する滑車を可動蓋に取り付けた稼動蓋係止装置と、捕獲籠前面側吊り手と背面側吊り手の下部をワイヤーで連結しワイヤーの中央部に別のワイヤーを繋ぎ、捕獲籠の片方の側面上部と下部に取り付けた滑車を経由して、捕獲籠の他方の側面下部に該ワイヤーの他端を繋いだ動物検知装置からなる。【選択図】図１
0003163365.tif 000002
【実用新案登録請求の範囲】
【請求項１】
猪や鹿等の動物を捕獲する直方体の捕獲籠で前面および／または背面にスライド枠が取り付けられたスライド枠に沿って可動蓋を上下に移動させて入口を開閉する捕獲籠において、該捕獲籠の前面および／または背面の該スライド枠の上枠に該可動蓋を引っ掛けて係止するための鉤付きの吊り手を取り付け、該吊り手の鉤を受けるための滑車を該可動蓋に取り付け、該滑車の溝を該吊り手の鉤の上に載せて可動蓋を引き上げた状態で係止する係止装置からなる動物捕獲籠。
【請求項２】
請求項１において、上記捕獲籠の前面側吊り手と背面側吊り手の下部をワイヤーで連結、または、上記捕獲籠の前面側吊り手または背面側吊り手の下部と該捕獲籠の背面側上面または前面側上面とワイヤーで連結し、該ワイヤーの中央部に別のワイヤーを繋ぎ、該捕獲籠の片方の側面上部と下部に取り付けた滑車を経由して該捕獲籠の他方の側面下部に該ワイヤーの他端を繋いだ動物検知装置からなる動物捕獲籠。
【考案の詳細な説明】
【技術分野】
【０００１】  本考案は、猪・鹿等を捕獲する直方体の捕獲籠の上下に移動する可動蓋の係止装置と動物の検知装置に関するものである。
【背景技術】
【０００２】  田畑を荒らし作物に被害を加える猪や鹿等の動物は、籠で捕獲されることが行われている。捕獲籠は通常、直方体で、前面および／または背面は上下にスライドする可動蓋になっており、蓋を引き上げた状態で入口が開放され稼動蓋は係止される。動物が捕獲籠に入ったのを検知する装置が内部に取り付けられ、検知装置と連動して可動蓋の係止装置が外れて可動蓋が落下して入口を閉じるようになっている。下記の先行技術文献にあるように、可動蓋を係止する装置には、可動蓋の下端に捕獲籠本体よりストッパーピンを突き出させて係止するもの、滑車を捕獲籠本体上面に取り付けてストッパーピンを支持し、ストッパーピンが滑車の溝を転がるようにしストッパーピンの動きを軽くしたもの、および／または  可動蓋の下端に滑車を取り付けて、ストッパーピンが滑車の溝を転がるようにしてストッパーピンと可動蓋下端との摩擦を無くして動きを軽くしたもの等がある。【０００３】  また、動物検知装置には、回転羽根にオトリの餌を付け、回転軸の回転に連動して可動蓋の係止装置が外れるようにしたものや、餌を取り付けた棒を動物が引っ張ることにより係止装置が外れるようにしたもの等が提案されている。
【先行技術文献】
【特許文献】
【０００４】
【特許文献１】特開２００３−５２２９６
【特許文献２】特許３７４６２７６
【特許文献３】特開２００１−１２８６１０
【特許文献４】特開２００１−３７４００
【特許文献５】特開平８−５６５４９
【特許文献６】特許３５８６４４５
【考案の概要】
【考案が解決しようとする課題】
【０００５】  従来のストッパーピンで可動蓋を係止する方法は、可動蓋の荷重のためにストッパーピンを抜くための力が必要である。猪や熊などでは問題はないが、鹿は非常に敏感であり、検知装置で動物を検知してもストッパーピンが外れるのが遅れ可動蓋が完全に入口を閉じる前に逃げ出すことがある。【０００６】  また、オトリの餌を回転羽根に取り付け回転軸の動作と係止装置を連動させて係止を外す方法は、構造が複雑で捕獲後の動物が暴れて検知装置が壊れ易い。
【課題を解決するための手段】
【０００７】  上記の課題に鑑み、本考案者はストッパーピンを使わず動きが軽い可動蓋係止装置と、この係止装置と連動し構造が簡単で壊れにくい動物検知装置を考案した。【０００８】  捕獲籠の前面と背面の両方に可動蓋がある動物捕獲籠について可動蓋係止装置を説明する。捕獲籠の前面および背面に固定され可動蓋が上下にスライドするスライド枠の上枠に、捕獲籠本体の長手方向にスイングできる引っ掛け鉤の付いた吊り手を取り付け、これを可動蓋の内側に垂らし可動蓋を引き上げて鉤で係止する。可動蓋の係止箇所には滑車を取り付け滑車の溝が吊り手の鉤の上に載るようにする。吊り手の下部を捕獲籠の本体側へ引いた時に吊り手の鉤が可動蓋の滑車の上を転がり鉤が外れて可動蓋が落下する。【０００９】  次に、動物検知装置を説明する。吊り手を捕獲籠本体側へ引っ張る構造は、捕獲籠前面側および背面側の吊り手の下部に穴を空け、互いにワイヤーで連結する。このワイヤーの中央部に別のワイヤーを繋ぎ、このワイヤーを捕獲籠本体内側の片方の側面上部と下部に取付けた２つの滑車を経由して、ワイヤーの他端を他方の側面下部に繋ぐ。片方の側面下部の滑車から他方の側面下部へ繋いだワイヤーは、捕獲籠本体の底面から一定の高さにセットする。【００１０】  次に、動物検知装置と係止装置の連動動作を説明する。ワイヤーを連結した後、多少緊張した状態で引っ張っておくことにより、動物が捕獲籠に入り足等を下部のワイヤーに触れた途端に、ワイヤーが引っ張られ、捕獲籠前面側および背面側の吊り手の下部が共に捕獲籠本体側へ引っ張られ鉤が可動蓋から外れて、前面稼動蓋と背面稼動蓋の係止が解除されて同時に落下して入口を閉じる。【００１１】  吊り手の鉤を可動蓋から外す引っ張り力は、吊り手の長さ、吊り手下部のワイヤーの取付け位置、吊り手に取り付けた鍵の角度、可動蓋の重量、滑車の回転抵抗が関係するが、摩擦はほとんど無く非常に軽い力で外すことができる。また、あまり軽すぎると、少しの振動で外れることも考えられるが、鉤の吊り手への取り付け角度を変えることにより引っ張り力の調整が可能である。最も良い角度は、吊り手を垂直に垂らした状態で時計の１２時軸から７０度〜９０度である。【００１２】  次に、本考案の動物捕獲籠の可動蓋の係止装置と検知装置を図で説明する。図１は本考案の動物捕獲籠の斜視図である。まず、可動蓋係止装置を説明する。図２は本考案の係止装置に使用する吊り手の正面図と側面図である。動物捕獲籠１には、前面側と背面側の端部にスライド枠１０ａ、１０ｂが取り付けられ、前面のスライド枠１０ａの溝に沿って上下に移動できる前面可動蓋４ａと背面のスライド枠１０ｂの溝に沿って上下に移動できる背面可動蓋４ｂがそれぞれはめ込まれている。前面可動蓋４ａと背面可動蓋４ｂは、引き上げた状態すなわち動物捕獲籠１の前面と背面入口が開放された状態で係止するために、動物捕獲籠１の前面スライド枠１０ａと背面スライド枠１０ｂの上枠中央に薄板で作られた吊り手２ａ、２ｂが、動物捕獲籠１の長手方向にスイングできるように取り付けられている。この吊り手２ａ、２ｂの側部には、図２（ａ）（ｂ）に示すように、中央部と下部側面に短冊状の鉤７ａ、７ｂが付いている。前面可動蓋４ａと背面可動蓋４ｂにそれぞれ取り付けられた滑車５ａ、５ｂの溝が鉤７ａまたは７ｂの上にそれぞれ載り、可動蓋４ａ、４ｂは引き上げられた状態で係止される。【００１３】  吊り手２ａと２ｂは、同じものであるが、捕獲籠前面側のスライド枠１０ａと背面側のスライド枠１０ｂへの取付けは鉤７ａ同士または鉤７ｂ同士がお互いに外向きになるように反転させて取り付ける。また、可動蓋４ａ、４ｂの係止高さを変えることができるように、吊り手側面の２箇所に、それぞれ反対向きに鉤７ａと７ｂが付けられている。可動蓋を低い位置で係止する時は、吊り手２ａ、２ｂの中央部の鉤７ｂを可動蓋の滑車５ａ、５ｂに掛け、高い位置で係止する時は、吊り手２ａ、２ｂをそれぞれ反転させてスライド枠に取付けて鉤７ａを可動蓋の滑車５ａ、５ｂに掛ける。可動蓋の高さを変えられるようにしたのは、捕獲籠の入口開口高さを変えることにより捕獲する動物を選択できるようにしたためである。猪やカモシカでは開口高さ１０００ｍｍが適当で、鹿では１３００ｍｍが適当である。【００１４】  次に、動物検知装置を説明する。吊り手２ａ、２ｂの下部には小さなワイヤー連結用穴９が空けられており、この穴９にワイヤーを繋ぎ、前面可動蓋４ａ側の吊り手２ａと背面可動蓋４ｂ側の吊り手２ｂの下部がワイヤー３ａでお互いに連結されている。また、このワイヤー３ａの中ほどに別のワイヤー３ｂが繋がれ、このワイヤー３ｂは捕獲籠本体の片方の側面上部内側に取り付けられている滑車６ａと捕獲籠本体の同側面下部内側に取り付けられている滑車６ｂの溝を経由して、ワイヤー３ｂの他端が捕獲籠本体の他方の側面下部に繋がれている。片方の側面下部の滑車６ａから他方の側面下部へ繋いだワイヤー３ｂは、捕獲籠本体の底面から一定の高さにセットする。【００１５】  次に、動物検知装置と係止装置の連動動作を説明する。動物が、動物捕獲籠１の内部に置かれたオトリの餌を求めて捕獲籠１に入り、捕獲籠本体内の下部に張られたワイヤー３ｂに触れた時、ワイヤー３ｂおよび３ａが引っ張られて、吊り手２ａ、２ｂの下部がそれぞれの吊り下げ部（吊り下げ用穴８）を支点に捕獲籠本体側へ引っ張られ、吊り手２ａ、２ｂの鉤７ａ、７ｂがそれぞれ可動蓋の滑車５ａ、５ｂから外れて前面可動蓋２ａと背面可動蓋２ｂの係止が解除され同時に重力で落下して入口を閉じる。【００１６】  吊り手２ａ、２ｂの鉤７ａと７ｂが滑車５ａ、５ｂから外れるに必要な引っ張り力は、吊り手２ａ、２ｂの長さ、吊り手２ａ、２ｂ下部のワイヤー連結用穴９の位置、吊り手２ａ、２ｂの鉤７ａと７ｂの取付け角度、可動蓋４ａ、４ｂの重量、滑車５ａ、５ｂの回転抵抗が関係するが、ほとんど摩擦は無く非常に軽い力で外すことができる。また、あまり軽すぎると、少しの振動で外れることも考えられるが、鉤７ａと７ｂの吊り手２ａ、２ｂへの取り付け角度を変えることにより引っ張り力の調整が可能である。本考案者が、試作品で実験したところ、最も良い取り付け角度は、吊り手２ａ、２ｂを垂直に垂らした状態で、時計１２時軸から７０度〜９０度である。【００１７】  本考案では、吊り手下部の連結と動物検知装置にワイヤーを使用するが、ワイヤーでなくても伸縮のほとんど無い紐を使用してもよい��【００１８】  吊り手は、薄い短冊状の金属板を使用するが、剛性のあるものであれば材質は問わない。【００１９】  上記は、前面と背面の両面に可動蓋がある動物捕獲籠で記述したが、前面可動蓋のみ、または背面可動蓋のみの動物捕獲籠でも、可動蓋側の吊り手下部と反対側の捕獲籠本体上面をワイヤーで連結してもよく、本考案の可動蓋係止装置と動物検知装置は適用できる。
【考案の効果】
【００２０】  本考案は、可動蓋の係止装置を外す引っ張り力が非常に軽く、しかも、鉤の吊り手への取り付け角度を変えることにより引っ張り力の調整が可能である。また、吊り手を反転させて可動蓋を引っ掛ける鉤を変えることにより、簡単に、可動蓋の高さ、すなわち捕獲籠入口の開口高さを変えることができる。本考案の係止装置および動物検知装置とも、構造が簡単で取り付け取り外しが簡単である。また、捕獲動物が暴れてもほとんど壊れる心配はない。
【図面の簡単な説明】
【００２１】
【図１】本考案の動物捕獲籠の斜視図である。
【図２】本考案の係止装置に使用する吊り手の正面図と側面図である。
【産業上の利用可能性】
【００２２】  田畑を荒らし作物に被害を加える猪、鹿等の動物の捕獲に利用することができる。
【符号の説明】
【００２３】１  動物捕獲籠
２ａ、２ｂ  吊り手
３ａ、３ｂ  ワイヤー
４ａ  前面可動蓋
４ｂ  背面可動蓋
５ａ、５ｂ  滑車
６ａ、６ｂ  滑車
７ａ、７ｂ  鉤
８  吊り下げ用穴
９  ワイヤー連結用穴
１０ａ、１０ｂ  スライド枠
【図１】
0003163365.tif 000003
【図２】
0003163365.tif 000004